(57)【要約】【課題】迅速な伸縮動作が可能であり、且つ異物の混入等を防止することができる釣用ロッドの提供。【解決手段】釣竿１０は、元節１７を備え、元節１７の所定位置に通気部２５が設けられている。通気部２５は、多数のスリット２８により構成される。スリットは、幅寸法ａが０．１ｍｍ〜３ｍｍに設定され、長さ寸法ｓが０．１ｍｍ〜３ｍｍに設定される。通気部２５は、元節１７の後端２９から距離Ａの位置に形成され、距離Ｂの位置に至るまで形成されている。距離Ａは、４９０ｍｍ以下に設定され、距離Ｂは、５００ｍｍ以下に設定される。【選択図】  図２
2004187552.tif 000002
【特許請求の範囲】
【請求項１】
伸縮可能な筒状に形成され、且つ後端部が閉口されたロッド本体と、
ロッド本体の周面部に設けられ、ロッド本体の内部と外部との間での通気を許容する通気部とを備え、
通気部は、内部に描き得る仮想円の最大直径が０．１ｍｍ〜３ｍｍである微細孔を多数備えている釣用ロッド。
【請求項２】
上記微細孔は、長さが０．１ｍｍ〜３ｍｍのスリットである請求項１記載の釣用ロッド。
【請求項３】
上記微細孔は、円形である請求項１記載の釣用ロッド。
【請求項４】
上記微細孔は、正多角形である請求項１記載の釣用ロッド。
【請求項５】
上記通気部は、上記ロッド本体の後端から５００ｍｍ以内の範囲に設けられている請求項１乃至４のいずれかに記載の釣用ロッド。
【発明の詳細な説明】
【０００１】
【発明の属する技術の分野】
この発明は、釣用ロッドの構造、詳しくは釣竿やタモの柄等の構造に関するものである。
【０００２】
【従来の技術及び発明が解決しようとする課題】
例えば釣竿には、ズーム機構と称される釣竿本体の定格長さを変化させる機構が設けられているものがある。このズーム機構は、釣竿の使用時に、釣竿本体を構成する元上節が元節に対して一定長さだけ伸縮される、あるいは、元節自体が一定長さだけ伸縮されるように構成されている。
また、釣りの際に釣人は、ヒットした魚を取り込むためにタモを使用することがあるが、このタモは、タモの柄に装着される。そして、このタモの柄は、使用される際に迅速に伸長されることが重要である。
このように、実釣においては、ズーム機構を備えた釣竿本体やタモの柄は素早く伸縮される必要があり、そのために従来では、釣竿本体やタモの柄に通気孔が設けられているものがある（例えば、特許文献１参照）。
【０００３】
【特許文献１】
特開２０００−１５７１１３号公報
【０００４】
ところで、従来の釣竿本体等では、上記通気孔が釣竿本体等の後端面（例えば、尻栓部材等）に形成されていた。そのため、例えば渓流釣りや鮎釣り等のようにウェーディングが必要となる釣りでは、通気孔から砂や泥等の異物が釣竿内部に侵入することがあり、その結果、釣竿本体が損傷を受ける場合もあった。
そこで、本発明の目的は、迅速な伸縮動作が可能でありながら、異物の混入等を防止することができる釣用ロッドを提供することである。
【０００５】
【課題を解決するための手段】
（１）  上記目的を達成するため、本願に係る釣用ロッドは、伸縮可能な筒状に形成され、且つ後端部が閉口されたロッド本体と、ロッド本体の周面部に設けられ、ロッド本体の内部と外部との間での通気を許容する通気部とを備え、通気部は、内部に描き得る仮想円の最大直径が０．１ｍｍ〜３ｍｍである微細孔を多数備えていることを特徴とするものである。
この構成によれば、通気部によってロッド本体の内部と外部との間で通気が許容されるので、当該ロッド本体が伸縮される際にスムーズな伸縮動作が可能となる。また、通気部がロッド本体の周面部に設けられているので、ウェーディングが行われる釣りにおいても、ロッド本体に砂や泥等が混入しにくい。しかも、通気部は、上記寸法の微細孔が通気を許容するものであるから、ロッド本体の機械的強度を低下させることなく、ロッド本体の内部への異物の混入は確実に回避される。
【０００６】
（２）  上記微細孔は、長さが０．１ｍｍ〜３ｍｍのスリットにより構成されるのが好ましい。これにより、通気部からの異物の混入が確実に阻止されると共に、十分な通気が確保され、ロッド本体が伸縮される際にきわめて迅速な伸縮動作が実現される。
また、上記微細孔は、円形又は正多角形に形成されるのが好ましい。これにより、微細孔の加工が簡単となり、通気部が安価に構成される。
加えて、上記微細孔が上記スリットにより構成され、又は円形や正多角形に形成されることにより、微細孔の配列の仕方によって、ロッド本体に多様な模様（デザイン）が施される。
【０００７】
（３）  上記通気部は、上記ロッド本体の後端から５００ｍｍ以内の範囲に設けられているのが好ましい。
通気部の位置がかかる位置に設定されることにより、ウェーディングが行われる釣りにおいても、ロッド本体への砂や泥等が混入が一層確実に防止される。
【０００８】
【発明の実施の形態】
以下、適宜図面が参照されつつ、好ましい実施形態に基づいて本発明が詳細に説明される。
【０００９】
＜第１の実施形態＞
図１は、本発明の第１の実施形態に係る釣竿１０（釣用ロッド）の正面図である。
この釣竿１０は、いわゆるインナーガイドタイプであって、磯釣り用に使用されるための構造を備えている。釣竿１０は、釣竿本体１１（ロッド本体）と、リールシート１２とを備えている。このリールシート１２は、釣人が釣竿１０を保持する際に実際に釣竿１０を把持する部分であり、いわゆるグリップを兼ねている。
本実施形態に係る釣竿１０の特徴とするところは、釣竿本体１１の後端部所定位置に通気部２５が設けられている点であり、この通気部２５によって釣竿本体１１の内部と外部との間で通気が許容されるようになっている。以下、釣竿１０の構成について詳述される。
【００１０】
釣竿本体１１は、５つの筒状部材１３〜１７から構成されている。各筒状部材１３〜１７は、それぞれ「節」と称され、釣竿本体１１の先端側から順に第１番節１３、第２番節１４と称される。第４番節１６は、特に「元上節」と称され、第５番節１７は、特に「元節」と称される。
各節１３〜１７は、既知の要領で構成される。例えば、カーボンプリプレグが所定形状に裁断され、これが筒状に巻回されることによって、円筒状の節１３〜１７が形成される。
この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００１１】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３が第２番節１４から引き出された際に、第１番節１３の後端部分が第２番節１４の先端部分とかみ合って両者が固定されるようになっている。
なお、第２番節１４と第３番節１５との関係及び第３番節１５と元上節１６との関係も同様である。
【００１２】
また、第２番節１４ないし元節１７の先端部には、当該部分の剛性を向上させ、隣り合う節のかみ合いを確実なものとするために、リングＲ１〜Ｒ４が装着されている。
さらに、元上節１６の先端側の所定位置には図示しない釣糸導入孔が設けられており、この釣糸導入孔に釣糸を導くための導入ガイド１９が取り付けられている。なお、上記トップガイド１８及び導入ガイド１９は、既知の構成であるので、その詳しい説明は省略される。
【００１３】
リールシート１２は、元節１７に設けられており、両者は、一体的に形成されている。このリールシート１２は、釣用リール（図示せず）を着脱自在に保持するためのものであって、前述のように、実釣において釣人が実際に釣竿１０を把持する部分（グリップ）を兼ねている。
リールシート１２は、釣用リールの脚部の一方を収容保持するフード２１と、脚部の他方を収容保持する可動フード２２とを備えている。可動フード２２は、釣用リールが載置される載置面２３に沿って図中左右にスライド可能となっている。そして、可動フード２２が図中左右にスライドすることにより、可動フード２２とフード２１との間で釣用リールの脚部が挟持され、固定されるようになっている。なお、かかるリールシート２０の構造についても既知であるので、その詳しい説明は省略される。
【００１４】
図２は、元節１７の要部拡大斜視図であり、元節１７の後端部分の構造が図示されている。
元節１７は、前述のように円筒状に形成されており、その後端に尻栓２６がねじ込まれている。尻栓２６は、筒状に形成された元節１７の後端を閉口するものである。ただし、尻栓２６は既知の構成であるから、その詳しい説明は省略される。
【００１５】
元節１７には、上記通気部２５が形成されている。通気部２５は、同図が示すように、元節１７の側面２７（周面）に設けられている。通気部２５は、多数のスリット２８により構成されている。各スリット２８は、元節１７を径方向に貫通している。
通気部２５は、元節１７の側面２７の所定の領域に設けられている。具体的には、上記スリット２８は、元節１７の後端２９から距離Ａの位置から距離Ｂの位置に至る範囲で形成されている。
【００１６】
本実施形態では、距離Ａは、４９０ｍｍ以内の範囲で適宜設定され、距離Ｂは、５００ｍｍ以内の範囲で適宜設定され得る。
また、各スリット２８は、幅寸法ａが０．１ｍｍ〜１ｍｍの範囲で適宜設定され、長さ寸法ｓが０．１ｍｍ〜３ｍｍの範囲で適宜設定され得る。
さらに、スリット２８の数は、１個〜１００個の範囲で設けられる。
このように、スリット２８が上記各寸法に設定され、且つ上記数だけ設けられることにより、元節１７の内部と外部との間で十分な通気が確保される。
【００１７】
なお、同図では、通気部２５は、元節１７の側面２７の一の領域にのみ設けられているが、通気部２５は、当該側面２７の周方向に沿う複数の領域に設けられていてもよい。その場合、通気部２５が側面２７の周方向に対称に設けられていてもよく、それにより、釣竿１０のデザインが優れたものとなることは言うまでもない。
【００１８】
本実施形態に係る釣竿１０では、通気部２５によって元節１７の内部と外部との間で通気が許容される。
ところで、この釣竿１０は、前述のようにズーム機構を備えているものであるところ、実釣において元節１７に対して元上節１６が伸縮される場合があるが、その場合に、仮に上記通気部２５が存在しないとすれば、元上節１６の伸縮によって元節１７の内部の気圧が大きく増減し、そのために、釣人は、元上節１６の伸縮動作を迅速に行うことが困難である。
しかし、上記通気部２５によって元節１７の内部と外部との間で十分な通気が確保されるから、元上節１６の伸縮によって元節１７の内部の気圧が大きく増減することはなく、元上節１６のスムーズな伸縮動作が実現される。
【００１９】
しかも、通気部２５が元節１７の側面２７に設けられているので、元節１７内に通気部２５を通して砂や泥等が混入しにくい。加えて、通気部２５は、上記寸法のスリット２８により構成されるから、特に元節１７の機械的強度を低下させるものではない。
特に、通気部２５が上記寸法のスリット２８により構成されることにより、通気部２５は、多数の微細孔を備えることになり、通気部２５からの異物の混入が確実に阻止されると共に、十分な通気が確保され、元上節１６がきわめて迅速に伸縮される。
【００２０】
また、本実施形態では、通気部２５が元節１７の後端から一定の距離の範囲に設けられているので、仮に、釣人がウェーディング等を行ったとしても、元節１７内へ砂や泥等の異物の混入は、一層確実に防止されるという利点がある。
【００２１】
＜第２の実施形態＞
次に、本発明の第２の実施形態について説明される。
図３は、本発明の第２の実施形態に係る釣竿３０の要部拡大斜視図であり、元節３１の構造が図示されている。
本実施形態に係る釣竿３０が上記第１の実施形態に係る釣竿１０と異なるところは、上記第１の実施形態では、元節１７に設けられた通気部２５が元節１７の軸方向に沿って延びるスリット２８により構成されていたのに対し、本実施形態に係る釣竿３０では、通気部２５が元節３１の軸方向に交差する方向に沿って延びるスリット３２により構成されている点である。なお、釣竿３０のその他の構成については、上記釣竿１０と同様である。
【００２２】
本実施形態においても、スリット３２は多数設けられており、各スリット３２は、幅寸法ａが０．１ｍｍ〜１ｍｍの範囲で適宜設定され、長さ寸法ｓ（元節３１の周方向に沿う長さ）が０．１ｍｍ〜３ｍｍの範囲で適宜設定され得る。
さらに、スリット２８の数は、本実施形態では１０本設けられているが、１本〜２０本の範囲で適宜設けられる。
なお、同図では、通気部２５は、元節３１の側面２７の一の領域にのみ設けられているが、通気部２５は、当該側面２７の周方向に沿う複数の領域に設けられていてもよい。その場合、通気部２５が側面２７の周方向に対称に設けられていてもよい。また、スリットの各寸法や、方向が変更されることによって、釣竿３０のデザインがさらに優れたものとなることは言うまでもない。
【００２３】
本実施形態に係る釣竿３０においても、通気部２５によって元節３１の内部と外部との間で十分な通気が確保されるから、元上節１６の伸縮によって元節３１の内部の気圧が大きく増減することはなく、元上節１６のスムーズな伸縮動作が実現される。
しかも、通気部２５が元節３１の側面２７の上記範囲に設けられているので、元節１７内に通気部２５を通して砂や泥等が混入しにくく、さらに、通気部２５は、上記寸法のスリット３２により構成されるから、特に元節３１の機械的強度を低下させるものではない。
【００２４】
＜第３の実施形態＞
次に、本発明の第３の実施形態について説明される。
図４は、本発明の第３の実施形態に係る釣竿４０の要部拡大斜視図であり、元節４１の構造が図示されている。
本実施形態に係る釣竿４０が上記第１の実施形態に係る釣竿１０と異なるところは、上記第１の実施形態では、元節１７に設けられた通気部２５が元節１７の軸方向に沿って延びるスリット２８により構成されていたのに対し、本実施形態に係る釣竿４０では、通気部２５が元節４１に貫通形成された多数の小孔４２により構成されている点である。なお、釣竿４０のその他の構成については、上記釣竿１０と同様である。
【００２５】
各小孔４２は、内径が０．１ｍｍ〜３ｍｍの範囲で適宜設定される。本実施形態では、各小孔４２は、同図が示すように元節３１の軸方向に沿って５列に並んでいる。なお、同図では、各小孔４２が簡単に図示されるために、中央列の小孔４２のみが円形に描かれ、その他の小孔４２については、簡略して描かれている。
もっとも、小孔４２の配列の仕方はこれに限定されるものではなく、元節４１の周面２７にランダムに散在するものであってもよい。その場合、小孔４２の配列の仕方によって、釣竿４０のデザインがさらに優れたものとなることは言うまでもいない。
【００２６】
本実施形態に係る釣竿４０においても、通気部２５によって元節４１の内部と外部との間で十分な通気が確保されるから、元上節１６の伸縮によって元節４１の内部の気圧が大きく増減することはなく、元上節１６のスムーズな伸縮動作が実現される。
しかも、通気部２５が元節４１の側面２７の上記範囲に設けられているので、元節１７内に通気部２５を通して砂や泥等が混入しにくく、さらに、通気部２５は、上記小孔４２により構成されるから、特に元節４１の機械的強度を低下させるものではない。
【００２７】
本実施形態では、通気部２５が円形の小孔４２により構成されているが、小孔４２の形状は、円形に限定されるものではない。
図５は、本実施形態の変形例に係る釣竿４０の要部拡大斜視図であり、元節４１の構造が図示されている。
この変形例では、小孔４２は、正六角形に形成されている。このように、小孔４２は、円形のほかに正多角形状に形成されることも可能である。
なお、同図では、各小孔４２が簡単に図示されるために、中央列の小孔４２のみが正六角形に描かれ、その他の小孔４２については、簡略して描かれている。
【００２８】
ところで、上記第１の実施形態〜第３の実施形態に係る釣竿１０，３０，４０では、通気部２５がスリット２８（微細孔）又は円形若しくは正六角形の小孔４２（微細孔）により構成され、それぞれ前述の寸法に設定されていた。しかし、通気部２５を構成する孔の形状は、一般的に次のように定義される。すなわち、通気孔を構成する微細孔は、内部に描き得る仮想円の最大直径が０．１ｍｍ〜３ｍｍである。
図６は、この定義にしたがって形成し得るスリット４３の形状を示している。
同図が示すように、仮想円４４の直径ｄが０．１ｍｍ〜３ｍｍの範囲で規定され、この仮想円４４に外接するようにスリット４３の幅が決定される。また、上記定義によれば、スリット４３の長さ寸法にはなんら制限が加えられることはない。
なお、微細孔が円形の小孔により構成される場合は、小孔は、上記仮想円４４と同一形状となる。
【００２９】
また、図７は、上記定義にしたがって形成し得る正六角形の小孔４５の形状を示している。
同図が示すように、仮想円４４の直径ｄが０．１ｍｍ〜３ｍｍの範囲で規定され、この仮想円４４に外接するように小孔４５の形状が決定される。
さらに、図８は、上記定義にしたがって形成し得る任意の小孔４６の形状を示している。
上記定義によれば、仮想円４４の直径ｄが決定されると、この仮想円４４が内接し得る任意の多角形が決定され、その種類は無限である。要するに、本発明では、仮想円４４が内接し得る任意の形状の微細孔により、上記通気部２５を構成することが可能である。
【００３０】
＜第４の実施形態＞
図９は、本発明の第４の実施形態に係る釣竿５０の要部拡大斜視図であり、元節５１の構造が図示されている。
本実施形態に係る釣竿５０が上記第１の実施形態に係る釣竿１０と異なるところは、上記第１の実施形態では、元節１７に設けられた通気部２５が元節１７の軸方向に沿って延びるスリット２８により構成されていたのに対し、本実施形態に係る釣竿５０では、通気部２５が元節４１に形成された開口部５２と、開口部５２に取り付けられたメッシュシート５３とを備えている点である。なお、釣竿５０のその他の構成については、上記釣竿１０と同様である。
【００３１】
同図が示すように、上記開口部５２は矩形状を呈しており、元節５１の側面２７に形成されている。もっとも、開口部５２の形状は、矩形状に限定されるものではなく、他の任意に形状が採用され得る。
メッシュシート５３は、例えばアルミニウム合金等の金属、樹脂等により構成され、微細孔５４が多数設けられている。メッシュシート５３は、例えば、元節５１の内側から開口部５２を塞ぐように貼り付けられる。
上記微細孔５４の形状は、上記定義にしたがって形成され、円形、正多角形のほか、任意の形状が採用され得る。
本実施形態では、開口部５２の開口率は、１％〜９０％に設定される。ここで、開口率とは、開口部５２の開口面積に対する微細孔５４の孔面積の総和の割合である。
【００３２】
本実施形態に係る釣竿５０においても、通気部２５によって元節５１の内部と外部との間で十分な通気が確保されるから、元上節１６の伸縮によって元節５１の内部の気圧が大きく増減することはなく、元上節１６のスムーズな伸縮動作が実現される。
しかも、通気部２５が元節５１の側面２７の上記範囲に設けられているので、元節１７内に通気部２５を通して砂や泥等が混入しにくく、さらに、通気部２５は、上記メッシュシート５３を備えるから、メッシュのデザインが工夫されることにより、釣竿５０のデザインが一層優れたものとなる。
【００３３】
なお、上記各実施形態では、本発明が磯釣り用の釣竿に適用される態様が開示されているが、本発明は、渓流釣り用、鮎釣用等、さまざまな用途に用いられる釣竿に適用される。また、本発明は、釣竿に適用される場合に限定されるものではなく、タモの柄その他の釣用ロッドに適用され得るものである。
【００３４】
【発明の効果】
以上のように本発明によれば、多数の微細孔により通気部が構成され、この通気部がロッド本体の周面であって後端から所定距離の位置に配置されているから、通気部からロッド本体の内部に異物が混入することが防止される。しかも、通気部によってロッド本体の内部と外部との間での通気が許容されるから、ロッド本体が伸縮される場合であっても、迅速に伸縮動作が行われる。
【図面の簡単な説明】
【図１】図１は、本発明の第１の実施形態に係る釣竿の正面図である。
【図２】図２は、本発明の第１の実施形態に係る釣竿の構成要素である元節の要部拡大斜視図である。
【図３】図３は、本発明の第２の実施形態に係る釣竿の要部拡大斜視図である。
【図４】図４は、本発明の第３の実施形態に係る釣竿の要部拡大斜視図である。
【図５】図５は、本発明の第３の実施形態の変形例に係る釣竿の要部拡大斜視図である。
【図６】図６は、本発明の実施形態に係る微細孔の形状を規定する定義にしたがって形成されるスリットの形状を示す図である。
【図７】図７は、本発明の実施形態に係る微細孔の形状を規定する定義にしたがって形成される正六角形の小孔の形状を示す図である。
【図８】図８は、本発明の実施形態に係る微細孔の形状を規定する定義にしたがって形成される任意の小孔の形状を示す図である。
【図９】図９は、本発明の第４の実施形態に係る釣竿の要部拡大斜視図である。
【符号の説明】
１０・・・釣竿
１１・・・釣竿本体
１７・・・元節
２５・・・通気部
２７・・・元節の側面
２８・・・スリット
２９・・・元節の後端
３０・・・釣竿
３１・・・元節
３２・・・スリット
４０・・・釣竿
４１・・・元節
４２・・・小孔
４３・・・スリット
４４・・・仮想円
４５・・・小孔
４６・・・小孔
５０・・・釣竿
５１・・・元節
５２・・・開口部
５３・・・メッシュシート
【図１】
2004187552.tif 000003
【図２】
2004187552.tif 000004
【図３】
2004187552.tif 000005
【図４】
2004187552.tif 000006
【図５】
2004187552.tif 000007
【図６】
2004187552.tif 000008
【図７】
2004187552.tif 000009
【図８】
2004187552.tif 000010
【図９】
2004187552.tif 000011